(57)【要約】【課題】エンコーダ装置において、操作パネルの円形開口部の成形が容易で、かつ操作パネル等からの静電気の影響を効果的に排除することができるようにする。【解決手段】操作パネル１の内側に配置された基板２上に設けられたロータリエンコーダ３と、ロータリエンコーダの入力軸４に固定され、操作パネルの円形開口部５において突出するつまみ６とを備えたエンコーダ装置において、円形開口部は、開口周辺の操作パネル部分が内側方向へ曲げられた形の環状壁部７を構成し、つまみの裾部分８は環状壁部に対し所定の間隙をおいて対向するとともに、裾部分の端部には環状壁部を囲むように環状壁部の上端面及び外壁面に沿って伸びたフランジ部９を設けるようにする。【選択図】図１
2005147881.tif 000002
【特許請求の範囲】
【請求項１】
操作パネルの内側に配置された基板上に設けられたロータリエンコーダと、前記ロータリエンコーダの入力軸に固定され、前記操作パネルの円形開口部において突出するつまみとを備え、前記円形開口部は、開口周辺の前記操作パネル部分が内側方向へ曲げられた形の環状壁部を構成し、前記つまみの裾部分は前記環状壁部に対し所定の間隙をおいて対向するとともに、前記裾部分の端部には前記環状壁部を囲むように前記環状壁部の上端面及び外壁面に沿って伸びたフランジ部が設けられていることを特徴とするエンコーダ装置。
【請求項２】
前記フランジ部は、前記環状壁部の上端面及び外壁面に対し所定の間隙をおいて対向する、断面がＬ字状のＬ字状フランジ部であることを特徴とする請求項１に記載のエンコーダ装置。
【請求項３】
前記つまみは前記ロータリエンコーダ側の底面が存在しない中空の円筒形状又は円錐台形状を有することを特徴とする請求項１又は２に記載のエンコーダ装置。
【請求項４】
前記つまみは前記ロータリエンコーダ側が開いた中空のものであり、底部には採光板が設けられ、その一部は表側まで貫通しており、前記基板上には、前記採光板を照明するための光源が前記ロータリエンコーダ近傍において設けられていることを特徴とする請求項１〜３のいずれか１項に記載のエンコーダ装置。
【発明の詳細な説明】
【技術分野】
【０００１】
本発明は、つまみの回転角をデジタル量に変換するエンコーダ装置に関する。
【背景技術】
【０００２】
このようなエンコーダ装置においては、つまみが設けられたパネル及びつまみの表面に帯電した静電気がロータリエンコーダの表面に放電することによって、誤動作するおそれがある。そこで、このような静電気による誤動作を防止するため、従来、種々の対策がなされている。
【０００３】
図２は静電気による誤動作に対する対策を施した従来例に係るエンコーダ装置を示す。このエンコーダ装置は、同図に示すように、操作パネル２１の内側に配置された基板２２の上に設けられたロータリエンコーダ２３と、ロータリエンコーダ２３の入力軸２４に固定され、操作パネルの円形開口部２５において突出したつまみ２６とを備える。この装置においては、円形開口部２５の周囲につまみ２６の裏面とオーバーラップするような高さのリブ２７を設けることによって、つまみ２６周囲の隙間より侵入する静電気の侵入径路の縁面距離を大きくして、ロータリエンコーダ２３の基部に静電気が侵入するのを防止するようにしている（たとえば特許文献１、２参照）。
【０００４】
また、ロータリエンコーダを用いたものではないが、スティックスイッチの動作用の軸部に取り付けた操作用のつまみを筐体の穴に挿入して配置したスイッチ装置において、つまみとスイッチとの間に帯電防止加工した樹脂シートを組み込むことにより、筐体の穴とつまみとの間の隙間から侵入する静電気の影響を防止するようにしたものも知られている（たとえば特許文献３参照）。この装置では、つまみの端部に鍔状の部材を設け、この鍔状部材が筐体の内側に位置するようにしている。
【０００５】
また、つまみの端部に設けた鍔状の部材が、筐体内側に位置するようにしたボリューム調整つまみも知られている（たとえば特許文献４参照）。
【特許文献１】特開平７−１１９９８５号公報
【特許文献１】特開平９−１３４７９２号公報
【特許文献１】特開２００１−４３７６４号公報
【特許文献１】特開２０００−２１６１０号公報
【発明の開示】
【発明が解決しようとする課題】
【０００６】
しかしながら、上述図２の従来技術によれば、同図に示すように、ロータリエンコーダ２３近傍の基板２２上にＬＥＤ２８を設け、つまみ２６の底部に、表側まで貫通した採光板２９を設けることによって、ＬＥＤ２８からの光によりつまみ２６を採光板２９の貫通部分において光らせようとする場合、リブ２７がある程度ＬＥＤ２８からの光を遮ってしまうので、光度が低下するという問題がある。
【０００７】
また、操作パネル２１表面からのつまみ２６の突出量が大きいと、つまみ２６は引っ張られた場合に外れやすいという問題もある。また、開口部２５周辺の操作パネル２１部分の形状が複雑であるため、開口部２５の成形時に、成形不良が発生する等の問題が生じやすい。
【０００８】
また、つまみの端部に設けた鍔状の部材が筐体の内側に位置する構成によれば、筐体の穴とつまみとの間の隙間から侵入する静電気が悪影響を及ぼす場合もあるので、これを防止するためには、帯電防止加工した樹脂シートを組み込む等の措置が必要となる場合もある。
【０００９】
本発明の目的は、このような従来技術の問題点に鑑み、エンコーダ装置において、操作パネルの円形開口部の成形が容易で、かつ操作パネル等からの静電気の影響を効果的に排除することができるようにすることにある。さらには、基板に設けたＬＥＤからの光によってつまみを光らせる場合に、光度を向上させることにある。
【課題を解決するための手段】
【００１０】
上記目的を達成するため、第１の発明に係るエンコーダ装置は、操作パネルの内側に配置された基板上に設けられたロータリエンコーダと、ロータリエンコーダの入力軸に固定され、操作パネルの円形開口部において突出するつまみとを備え、円形開口部は、開口周辺の操作パネル部分が内側方向へ曲げられた形の環状壁部を構成し、つまみの裾部分は環状壁部に対し所定の間隙をおいて対向するとともに、裾部分の端部には環状壁部を囲むように環状壁部の上端面及び外壁面に沿って伸びたフランジ部が設けられていることを特徴とする。ここで、エンコーダ装置としては、たとえばボリュームに使用されるものが該当する。
【００１１】
この構成において、操作パネルの円形開口部の周辺部分は、円形開口部の周囲を操作パネルの内側方向に折り曲げただけのような簡単な形状の環状壁部となっていため、成形時に成形不良等の問題を生じることはない。また、つまみのフランジ部が環状壁部を覆っているため、操作パネルに帯電した静電気によりロータリエンコーダへの放電が発生するのを効果的に防止することができる。
【００１２】
第２の発明に係るエンコーダ装置は、フランジ部は、環状壁部の上端面及び外壁面に対し所定の間隙をおいて対向する、断面がＬ字状のＬ字状フランジ部であることを特徴とする。
【００１３】
第３の発明に係るエンコーダ装置は、つまみはロータリエンコーダ側の底面が存在しない中空の円筒形状又は円錐台形状を有することを特徴とする。
【００１４】
また、第４の発明に係るエンコーダ装置は、つまみはロータリエンコーダ側が開いた中空のものであり、底部には採光板が設けられ、その一部は表側まで貫通しており、基板上には、採光板を照明するための光源がロータリエンコーダ近傍において設けられていることを特徴とする。
【発明の効果】
【００１５】
本発明によれば、操作パネルの円形開口部は、開口周辺の操作パネル部分が内側方向へ曲げられた形の環状壁部を構成し、つまみの裾部分の端部には環状壁部を囲むように環状壁部の上端面及び外壁面に沿って伸びたフランジ部を設けるようにしたので、操作パネルにおける円形開口部の成形を、成形不良を生じさせたりすることなく、支障なく行うことができる。また、操作パネルからロータリエンコーダへの静電気による放電を効果的に防止することができる。さらに、ロータリエンコーダ近傍の基板上の光源でつまみ底部の採光板を照明し、つまみを光らせる場合に、照明光を極力遮ることなく採光板に照射し、光度を向上させることができる。
【発明を実施するための最良の形態】
【００１６】
図１は本発明の一実施形態に係るボリューム用のエンコーダ装置を示す断面図である。同図に示すように、この装置は、操作パネル１の内側に配置された基板２上に設けられたロータリエンコーダ３、及び、ロータリエンコーダ３の入力軸４に固定され、操作パネル１の円形開口部５において突出したボリュームつまみ６を備える。
【００１７】
円形開口部５は、開口周辺の操作パネル１部分が内側方向へ曲げられた形の環状壁部７を構成している。つまり、環状壁部７は、操作パネル１の内側方向の高さを有する円筒形状又は円錐台形状を有している。ボリュームつまみ６の裾部分８は環状壁部７に対し所定の間隙をおいて対向している。裾部分８の端部には環状壁部７を囲むように環状壁部７の上端及び外側に沿って伸びた断面がＬ字状のＬ字状フランジ部９が設けられている。
【００１８】
ボリュームつまみ６はエンコーダ側の底面が存在しない中空の円錐台形状を有する。ボリュームつまみ６の底部には採光板１０が設けられ、その一部は表側まで貫通し、表側ではリング状の模様を構成している。ロータリエンコーダ３近傍の基板２上には、採光板１０を照明するためのＬＥＤ１１が設けられている。
【００１９】
この構成において、円形開口部５は、開口周辺の操作パネル１部分が内側方向へ曲げられたような単純な形の環状壁部７を構成しているだけであるため、容易に形成することができる。このようにして形成された環状壁部７を有する開口部５が設けられた操作パネル１に対して、ボリュームつまみ６を取り付けたロータリエンコーダ３等が設けられた基板２を、ボリュームつまみ６が開口部５から突出するように組み込むことによって、容易にエンコーダ装置を製造することができる。なお、従来は、ロータリエンコーダが設けられた基板を操作パネルに組み込んでからボリュームつまみを取り付けるようにしていた。
【００２０】
ロータリエンコーダ３の操作は、ボリュームつまみ６を指でつまんで回転させることにより行う。ボリュームつまみ６の回転角に応じたデジタル量をロータリエンコーダ３は出力する。その際、ＬＥＤ１１からの照明光は、遮られることなく効率的に採光板１０を照明し、採光板１０の貫通部分を経てボリュームつまみ６の表側を環状に光らせる。したがって操作者は、ボリュームつまみ６の位置を極めて容易に認識し、操作を行うことができる。またその際、Ｌ字状フランジ部９が環状壁部７の上端及び外側に沿って伸びて環状壁部７を囲むようにしているので、操作パネル１に帯電した静電気によってロータリエンコーダ３への放電が生じ、誤動作の原因になることもない。また、ボリュームつまみ６がユーザによって引っ張られても、抜け落ちることはない。
【００２１】
なお、本発明は上述実施形態に限定されることなく、適宜変形して実施することができる。たとえば、上述においては、ボリュームつまみ６の形状を、エンコーダ側の底面が存在しない中空の円錐台形状としているが、この代わりに、エンコーダ側の底面が存在しない中空の円筒形状としてもよい。
【図面の簡単な説明】
【００２２】
【図１】本発明の一実施形態に係るボリューム用のエンコーダ装置を示す断面図である。
【図２】静電気による誤動作に対する対策を施した従来例に係るエンコーダ装置を示す断面図である。
【符号の説明】
【００２３】
１，２１：操作パネル、２，２２：基板、３，２３：ロータリエンコーダ、４，２４：入力軸、５，２５：円形開口部、６，２６：ボリュームつまみ、７：環状壁部、８：裾部、９：Ｌ字状フランジ部、１０，２９：採光板、１１，２８：ＬＥＤ、２７：リブ。
【図１】
2005147881.tif 000003
【図２】
2005147881.tif 000004